【手続補正書】
【提出日】平成24年9月3日(2012.9.3)
【手続補正１】
【補正対象書類名】特許請求の範囲
【補正対象項目名】全文
【補正方法】変更
【補正の内容】
【特許請求の範囲】
【請求項１】
オープン広告をターゲットウェブサイトと一体化するためのコンピュータ実行方法であって、
製品のオークションリストを含むオープン広告と、該オークションリストに関する、遠隔的に実行可能な第１のソフトウェアコードとをともに作成するオンラインオークションサーバとのネットワークを介して、販売者がオークションウェブサイトを通じて製品をオークションに掛けられるようにするステップと、
前記販売者が前記オークションリストのオープン広告を要求したことに応答して、前記第１のソフトウェアコードにターゲットウェブサイトとともに機能するようにマーキングするステップと、
前記ターゲットウェブサイトをホストするターゲットウェブサイトサーバから前記ソフトウェアコードの遠隔サーバ呼び出しを受け取るステップと、
前記呼び出しを受け取ったことに応答して前記第１のソフトウェアコードによって、前記オークションサーバにアクセスできるようにするための、自己実行可能なスクリプトコード及びオークション製品識別情報を含む第２のソフトウェアコードを生成するステップと、
潜在的入札者が前記ターゲットウェブサイトを閲覧したことに応答して前記ターゲットウェブサイトの広告位置に提供される前記オークションリストに関する具体的情報を表示する前記オープン広告を作成するように前記ターゲットウェブサイトサーバによる実行のために構成された前記第２のソフトウェアコードを前記ターゲットウェブサイトサーバへ送信するステップと、
前記オープン広告を前記広告位置に表示するためのウェブ互換モジュールとして配送するステップと、
を含むことを特徴とする方法。
【請求項２】
前記ターゲットウェブサイトが、前記オンラインオークションサーバのアフィリエイトウェブサイトであり、前記方法が、前記販売者のアフィリエイトログインユーザ識別情報（ＵＳＥＲＩＤ）を確認した後で、アフィリエイトウェブサイトサーバから内部アプリケーションプログラミングインターフェイス（ＡＰＩ）コードを含む前記第１のソフトウェアコードの前記呼び出しを受け取るステップを含む、
ことを特徴とする請求項１に記載の方法。
【請求項３】
前記販売者が複数の製品の複数のオークションリストを有し、前記方法が、
前記複数のオークションリストの少なくともいくつかの各々に関連するキーワードを前記販売者から受け取るステップと、
前記オープン広告を提供するためのキーワードを前記販売者が選択できるようにするステップと、
を含み、前記第２のソフトウェアコードが、前記キーワードに関する個々の製品を含むオープン広告を作成する、
ことを特徴とする請求項２に記載の方法。
【請求項４】
前記ターゲットウェブサイトがサードパーティウェブサイトであり、前記方法が、前記販売者のオークションサイトログインユーザ識別情報（ＵＳＥＲＩＤ）及びパスワードを確認した後で、アフィリエイトウェブサイトサーバから外部アプリケーションプログラミングインターフェイス（ＡＰＩ）コードを含む前記第１のソフトウェアコードの前記呼び出しを受け取るステップを含む、
ことを特徴とする請求項１に記載の方法。
【請求項５】
前記販売者が複数の製品の複数のオークションリストを有し、前記方法が、
前記複数のオークションリストの少なくともいくつかの各々に関連するキーワードを前記販売者から受け取るステップと、
前記オープン広告を提供するためのキーワードを前記販売者が選択できるようにするステップと、
を含み、前記第２のソフトウェアコードが、前記キーワードに関する個々の製品を含むオープン広告を作成する、
ことを特徴とする請求項４に記載の方法。
【請求項６】
前記オープン広告により表示される前記具体的情報が、前記製品のサムネイル、前記製品のタイトル又は説明、瞬間入札価格、オークションの終了までの残り時間、前記オークションリストにリンクする入札ユニフォームリソースロケータ（ＵＲＬ）、製品情報にリンクする製品ＵＲＬ、及びこれらの組み合わせのうちの１又はそれ以上を含む、
ことを特徴とする請求項１に記載の方法。
【請求項７】
前記潜在的入札者が前記オープン広告の入札ＵＲＬに関与したことに応答して、前記潜在的入札者のウェブブラウザを前記オークションウェブサイトのオークションリストにリダイレクトするステップをさらに含む、
ことを特徴とする請求項６に記載の方法。
【請求項８】
１又はそれ以上の潜在的入札者が前記入札ＵＲＬに各々関与したこと、
前記オークションウェブサイトのオークションリストにリンクする入札に潜在的入札者が各々成功したこと、
のいずれか一方又は両方に関して前記販売者に課金するステップをさらに含む、
ことを特徴とする請求項６に記載の方法。
【請求項９】
前記潜在的入札者が前記ターゲットウェブサイトを閲覧したことに応答して、前記第２のソフトウェアコードが前記オークションサーバを暗号化された前記オークション製品識別情報で呼び出すようにするステップ、をさらに含み、
前記ウェブ互換モジュールは、前記広告位置に表示するためのハイパーテキストマークアップ言語（ＨＴＭＬ）モジュールを含むことを特徴とする請求項１に記載の方法。
【請求項１０】
前記販売者が、前記オープン広告が複数のターゲットウェブサイトに提供されるように要求できるようにするステップと、
前記ターゲットウェブサイトの各々が、前記第１のソフトウェアコードを呼び出して各それぞれのターゲットウェブサイト上に前記オープン広告を生成したことに関して前記販売者に課金するステップと、
をさらに含むことを特徴とする請求項１に記載の方法。
【請求項１１】
オープン広告をターゲットウェブサイトと一体化するためのシステムであって、
販売者がネットワークを介してオークションウェブサイトを通じて製品をオークションに掛けられるようにするためのオンラインオークションサーバを備え、該オークションサーバは、該サーバが含む製品のオークションリストを含むオープン広告を作成し、前記システムは、
メモリと、
前記メモリに結合されたプロセッサと、
前記プロセッサ及び前記メモリに結合された通信インターフェイスと、
前記プロセッサに結合され、前記製品のオークションリストを作成したことに応答して遠隔的に実行可能な第１のソフトウェアコードを作成するように構成されたソフトウェアコード生成器と、
をさらに備え、
前記通信インターフェイスが、ターゲットウェブサイトをホストするターゲットウェブサイトサーバから前記第１のソフトウェアコードの遠隔サーバ呼び出しを受け取り、
前記プロセッサが、前記呼び出しを受け取ったことに応答して前記第１のソフトウェアコードを使用して、前記オークションサーバにアクセスできるようにするための、自己実行可能なスクリプトコード及びオークション製品識別情報（ＩＤ）を含む第２のソフトウェアコードを生成するように構成され、
前記通信インターフェイスが、潜在的入札者が前記ターゲットウェブサイトを閲覧したことに応答して前記ターゲットウェブサイトの広告位置に提供される前記オークションリストに関する具体的情報を表示するオープン広告を作成するように前記ターゲットウェブサイトサーバによる実行のために構成された前記第２のソフトウェアコードを前記ターゲットウェブサイトサーバへ送信し、
前記オープン広告を前記広告位置に表示するためのウェブ互換モジュールとして配送する、ことを特徴とするシステム。
【請求項１２】
前記ターゲットウェブサイトサーバが、前記第２のソフトウェアコードの実行時に、暗号化された前記製品ＩＤを前記オークションサーバに提出し、前記ソフトウェアコード生成器が、前記暗号化された製品ＩＤを解読するためのフロントエンドアプリケーションプログラミングインターフェイス（ＡＰＩ）を生成して、前記ターゲットウェブサイトサーバによる前記オークションサーバへのアクセスを認証する、
ことを特徴とする請求項１１に記載のシステム。
【請求項１３】
前記ターゲットウェブサイトが、前記オンラインオークションサーバのアフィリエイトウェブサイトであり、前記プロセッサ及び通信インターフェイスが、
前記販売者のアフィリエイトログインユーザ識別情報（ＵＳＥＲＩＤ）を確認した後で、アフィリエイトウェブサイトサーバから内部アプリケーションプログラミングインターフェイス（ＡＰＩ）コードを含む前記第１のソフトウェアコードの前記呼び出しを受け取り、
前記内部ＡＰＩコードのフラグを前記アフィリエイトウェブサイトとともに機能するように設定する、
ように構成される、
ことを特徴とする請求項１１に記載のシステム。
【請求項１４】
前記販売者が複数の製品の複数のオークションリストを有し、前記プロセッサ及び通信インターフェイスが、
前記複数のオークションリストの少なくともいくつかの各々に関連するキーワードを前記販売者から受け取り、
前記オープン広告を提供するためのキーワードを前記販売者が選択できるようにする、ように構成され、前記第２のソフトウェアコードが、前記キーワードに関する個々の製品に関する特徴を含むオープン広告を作成する、
ことを特徴とする請求項１３に記載のシステム。
【請求項１５】
前記ターゲットウェブサイトがサードパーティウェブサイトであり、前記プロセッサ及び通信インターフェイスが、
前記販売者のオークションサイトログインユーザ識別情報（ＵＳＥＲＩＤ）及びパスワードを確認した後で、アフィリエイトウェブサイトサーバから外部アプリケーションプログラミングインターフェイス（ＡＰＩ）コードを含む前記第１のソフトウェアコードの前記呼び出しを受け取り、
前記外部ＡＰＩのフラグを前記サードパーティウェブサイトとともに機能するように設定する、
ように構成される、
ことを特徴とする請求項１１に記載のシステム。
【請求項１６】
前記販売者が複数の製品の複数のオークションリストを有し、前記プロセッサ及び前記通信インターフェイスが、
前記複数のオークションリストの少なくともいくつかの各々に関連するキーワードを前記販売者から受け取り、
前記オープン広告を提供するためのキーワードを前記販売者が選択できるようにする、
ように構成され、前記第２のソフトウェアコードが、前記キーワードに関する個々の製品を含むオープン広告を作成する、
ことを特徴とする請求項１５に記載のシステム。
【請求項１７】
前記オープン広告により表示される前記具体的情報が、前記製品のサムネイル、前記製品のタイトル又は説明、瞬間入札価格、オークションの終了までの残り時間、前記オークションリストにリンクする入札ユニフォームリソースロケータ（ＵＲＬ）、製品情報にリンクする製品ＵＲＬ、及びこれらの組み合わせのうちの１又はそれ以上を含む、
ことを特徴とする請求項１１に記載のシステム。
【請求項１８】
前記プロセッサが、
１又はそれ以上の潜在的入札者が前記入札ＵＲＬに各々関与したこと、
前記オークションウェブサイトのオークションリストにリンクする入札に潜在的入札者が各々成功したこと、
のいずれか一方又は両方に関して前記販売者に課金するように構成される、
ことを特徴とする請求項１７に記載のシステム。
【請求項１９】
前記プロセッサが、
潜在的入札者が前記ターゲットウェブサイトを閲覧したことに応答して、前記第２のソフトウェアコードが前記オークションサーバを前記オークション製品ＩＤで呼び出すようにし、
前記ウェブ互換モジュールは、前記広告位置に表示するためのハイパーテキストマークアップ言語（ＨＴＭＬ）モジュールを含む、
ように構成される、
ことを特徴とする請求項１１に記載のシステム。